(57)【要約】  受信された光信号を処理するデジタル復調器装置のための方法、システム、および装置について説明する。本装置は、光信号のデジタル版を受信し、直交誤差を除去してフィルタ処理済みの一連のデータサンプルを生成する直交誤差フィルタを含み得る。本装置はまた、フィルタ処理済みの一連のデータサンプルに対し周波数回転を行う周波数オフセット除去モジュールを含み得る。本装置は、水平および垂直偏波チャネルから波長分散を除去する波長分散補償モジュールを含み得る。本装置は、偏波モード分散（ＰＭＤ）と偏波依存損失（ＰＤＬ）に起因する干渉を補償するＰＭＤ／ＰＤＬ補償モジュールを含み得る。本装置はまた、位相を追跡し補正するように構成される位相回復モジュールを含み得る。【選択図】図１
2014509121.tif 000002
【特許請求の範囲】
【請求項１】
光信号のデジタル版を受信し、
直交誤差を除去し、補正された一連のデータサンプルを生成する
ように構成される直交誤差フィルタモジュールと、
前記補正された一連のデータサンプルに対し周波数回転を行うように構成される周波数オフセット除去モジュールと、
水平および垂直偏波チャネルから波長分散を除去するように構成される波長分散補償モジュールと、
偏波モード分散（ＰＭＤ）と偏波依存損失（ＰＤＬ）に起因する干渉を補償するように構成されるＰＭＤ／ＰＤＬ補償モジュールと、
位相を追跡し補正するように構成される位相回復モジュールと、を含むことを特徴とする受信光信号のデジタル復調器装置。
【請求項２】
請求項１に記載の装置において、前記直交誤差フィルタは、水平方向同相ストリーム、垂直方向同相ストリーム、水平方向直交ストリーム、および垂直方向同相ストリームを含む４つの平行ストリームを受信することにより前記光信号のデジタル版を受信するように構成されることを特徴とする装置。
【請求項３】
請求項１に記載の装置において、前記直交誤差フィルタは同相と直交成分間のスキューを検出し除去することにより直交誤差を除去するように構成されることを特徴とする装置。
【請求項４】
請求項１に記載の装置において、前記直交誤差フィルタは直流バイアスを検出し除去することにより直交誤差を除去するように構成されることを特徴とする装置。
【請求項５】
請求項１に記載の装置において、前記直交誤差フィルタは同相および直交振幅不平衡を検出し除去することにより直交誤差を除去するように構成されることを特徴とする装置。
【請求項６】
請求項１に記載の装置において、前記直交誤差フィルタは同相および直交位相不平衡を検出し除去することにより直交誤差を除去するように構成される、ことを特徴とする装置。
【請求項７】
請求項１に記載の装置において、前記直交誤差フィルタは、前記光信号が前記周波数オフセット除去モジュールにより受信される前に前記光信号の直交誤差を除去するように構成されることを特徴とする装置。
【請求項８】
請求項１に記載の装置において、前記周波数オフセット除去モジュールへのフィードバックのための周波数誤差メトリックを計算するように構成される搬送波周波数取得および追跡モジュールをさらに含むことを特徴とする装置。
【請求項９】
請求項８に記載の装置において、前記搬送波周波数取得および追跡モジュールは、前記ＰＭＤ／ＰＤＬ補償モジュールがＰＭＤとＰＤＬに起因する干渉を補償した後、前記光信号を処理し、前記周波数オフセット除去モジュールは前記周波数誤差メトリックを使用して回転を行うことを特徴とする装置。
【請求項１０】
請求項１に記載の装置において、局部発振器を制御するためのフィルタ処理済み周波数誤差メトリックを計算するように構成される搬送波周波数取得および追跡モジュールをさらに含むことを特徴とする装置。
【請求項１１】
請求項１に記載の装置において、ほぼ２＋ε倍のシンボル率で採取されるサンプルに対し間引きを行う補間機能を実施するように構成される整合フィルタデシメータをさらに含むことを特徴とする装置。
【請求項１２】
請求項１に記載の装置において、前記ＰＭＤ／ＰＤＬ補償モジュールがＰＭＤとＰＤＬに起因する干渉を補償した後であって前記光信号に対する搬送波位相回復の前に前記光信号のシンボルタイミング取得と追跡を行うように構成されるシンボルタイミング取得および追跡モジュールをさらに含むことを特徴とする装置。
【請求項１３】
請求項１に記載の装置において、受信したチャネルを互いに歪め、交換し、回転させるように構成されるフレーム同期モジュールをさらに含むことを特徴とする装置。
【請求項１４】
請求項１に記載の装置において、復調された光信号を差分復号し、前記復号化された出力を前記フレーム同期モジュールへ供給するように構成される差分復号器をさらに含むことを特徴とする装置。
【請求項１５】
請求項１に記載の装置において、前記復調信号は硬判定または軟判定データを含むことを特徴とする装置。
【請求項１６】
請求項１に記載の装置において、前記装置はプロセッサを含むことを特徴とする装置。
【請求項１７】
光信号のデジタル版を受信する手段と、
直交誤差を除去して、補正された一連のデータサンプルを生成する手段と、
前記補正された一連のデータサンプルに対し周波数回転を行う手段と、
前記光信号の処理版の水平および垂直偏波チャネルから波長分散を除去する手段と、
ＰＭＤとＰＤＬに起因する干渉を補償する手段と、
位相を追跡し補正する手段と、を含むことを特徴とするシステム。
【請求項１８】
光信号のデジタル版を受信する工程と、
直交誤差を除去して、補正された一連のデータサンプルを生成する工程と、
前記補正された一連のデータサンプルに対し周波数回転を行う工程と、
水平および垂直偏波チャネルから波長分散を除去する工程と、
ＰＭＤとＰＤＬに起因する干渉を補償する工程と、
位相を追跡し補正する工程と、を含むことを特徴とする方法。
【請求項１９】
請求項１８に記載の方法において、前記光信号のデジタル版を受信する前記工程は、水平方向同相ストリーム、垂直方向同相ストリーム、水平方向直交ストリーム、および垂直方向同相ストリームを含む４つの平行ストリームを受信する工程を含む、ことを特徴とする方法。
【請求項２０】
請求項１８に記載の方法において、前記直交誤差を除去する前記工程は、同相と直交成分間のスキューを検出し除去する工程を含む、ことを特徴とする方法。
【請求項２１】
請求項１８に記載の方法において、前記直交誤差を除去する前記工程は直流バイアスを検出し除去する工程を含む、ことを特徴とする方法。
【請求項２２】
請求項１８に記載の方法において、前記直交誤差を除去する前記工程は、同相および直交振幅不平衡を検出し除去する工程と、同相および直交位相不平衡を検出し除去する工程を含む、ことを特徴とする方法。
【請求項２３】
請求項１８に記載の方法において、前記光信号の前記直交誤差を除去する前記工程は、前記光信号に対し周波数回転を行う工程の前に発生する、ことを特徴とする方法。
【請求項２４】
請求項１８に記載の方法において、前記光信号のＰＭＤとＰＤＬ補償版の周波数誤差メトリックを計算する工程と、前記周波数回転実行中に使用される前記周波数誤差メトリックをフィードバックする工程とをさらに含むことを特徴とする方法。
【請求項２５】
請求項１８に記載の方法において、前記光信号のＰＭＤとＰＤＬ補償版のフィルタ処理済み周波数誤差メトリックを計算する工程と、前記フィルタ処理済み周波数誤差メトリックを局部発振器へ供給する工程とをさらに含むことを特徴とする方法。
【請求項２６】
請求項１８に記載の方法において、ほぼ２＋ε倍のシンボル率で採取されるサンプルに対し間引きを行う補間機能を実施する工程をさらに含むことを特徴とする方法。
【請求項２７】
請求項１８に記載の方法において、前記ＰＭＤ／ＰＤＬ補償モジュールがＰＭＤとＰＤＬに起因する干渉を補償した後であって搬送波位相回復の前に前記光信号のシンボルタイミング取得と追跡を行う工程をさらに含むことを特徴とする方法。
【請求項２８】
請求項１８に記載の方法において、復調された光信号を差分復号し、ハード復号化された出力を供給する工程と、前記ハード復号化された出力の受信チャネルを互いに同期させる工程とをさらに含むことを特徴とする方法。
【発明の詳細な説明】
【技術分野】
【０００１】
関連出願の相互参照
本出願は、２０１１年１月２２日出願の米国仮特許出願第６１／４３５，２７８号明細書、題名「高速光通信（ＨＩＧＨ  ＲＡＴＥ  ＯＰＴＩＣＡＬ  ＣＯＭＭＵＮＩＣＡＴＩＯＮ）」と２０１１年８月８日出願の米国特許出願第１３／２０５，４３１号明細書、題名「デジタル復調器アーキテクチャ（ＤＩＧＩＴＡＬ  ＤＥＭＯＤＵＬＡＴＯＲ  ＡＲＣＨＩＴＥＣＴＵＲＥ）」からの優先権を主張し、参照によりその全体を本明細書に援用する。
【背景技術】
【０００２】
本開示は、光ファイバ通信システムにおける復調のためのシステム、装置、および方法に関する。
【０００３】
ネットワーク通信システムにおける光ファイバチャネルは広範囲に配備されており、データ送信に有効であると考えられ、比較的高い帯域幅データ通信を可能にする。光ファイバは通常、可撓性であり、ケーブル内に束ねることができる。光ファイバは、光が電気的ケーブルと比較して少ない減衰でファイバ中を伝播するので、しばしば長距離通信に使用される。典型的な今日の商用光ファイバ方式は１０または４０Ｇｂｐｓでデータを送信する。各ファイバは、波長分割多重（ＷＤＭ：ｗａｖｅｌｅｎｇｔｈ−ｄｉｖｉｓｉｏｎ  ｍｕｌｔｉｐｌｅｘｉｎｇ）として知られた技術で、それぞれが異なる波長の光を使用する複数の独立したチャネルを搬送することができる。
【０００４】
帯域の要求が増しているので、データ送信速度の増加が望ましいであろう。しかし、ファイバ光システムでは、データ速度が増すにつれて様々な光学現象が現れ始め、データ送信速度を制限するように作用する。例えば、波長分散（ＣＤ：ｃｈｒｏｍａｔｉｃ  ｄｉｓｐｅｒｓｉｏｎ）、偏波モード分散（ＰＭＤ：ｐｏｌａｒｉｚａｔｉｏｎ  ｍｏｄｅ  ｄｉｓｐｅｒｓｉｏｎ）、および偏波依存損失（ＰＤＬ：ｐｏｌａｒｉｚａｔｉｏｎ  ｄｅｐｅｎｄｅｎｔ  ｌｏｓｓ）からの光学的影響は、データ送信速度に大きな影響を及ぼす。
【発明の概要】
【０００５】
受信された光信号を処理するデジタル復調器装置のための方法、システム、装置、およびコンピュータプログラム製品について説明する。本装置は、光信号のデジタル版を受信し、直交誤差を除去し、補正された一連のデータサンプルを生成する直交誤差フィルタを含み得る。本装置は、補正された一連のデータサンプルに対し周波数回転を行う周波数オフセット除去モジュールを含み得る。本装置はまた、水平および垂直偏波チャネルから波長分散を除去する波長分散補償モジュールと、偏波モード分散（ＰＭＤ）と偏波依存損失（ＰＤＬ）に起因する干渉を補償するＰＭＤ／ＰＤＬ補償モジュールと、を含み得る。位相回復モジュールは位相を追跡し補正するように構成され得る。
【０００６】
いくつかの実施形態では、シンボルタイミング取得および追跡モジュールは早期／後期シンボル半径整合方式（ｅａｒｌｙ／ｌａｔｅ  ｓｙｍｂｏｌ  ｒａｄｉｕｓ  ｍａｔｃｈｉｎｇ  ｓｃｈｅｍｅ）とＰＩ制御装置を使用して、シンボルタイミングを推定し、誤り信号を生成してシンボルタイミングを補正し得る。フレーム同期およびインターフェースモジュールは、データを処理してフレーム同期を実現し得る。以下にさらに詳細に説明されるように、他の機能性が実装され得る。
【０００７】
受信された光信号のデジタル復調器装置は、光信号のデジタル版を受信し、直交誤差を除去し、補正された一連のデータサンプルを生成するように構成される直交誤差フィルタモジュールと、補正された一連のデータサンプルに対し周波数回転を行うように構成される周波数オフセット除去モジュールと、水平および垂直偏波チャネルから波長分散を除去するように構成される波長分散補償モジュールと、偏波モード分散（ＰＭＤ）と偏波依存損失（ＰＤＬ）に起因する干渉を補償するように構成されるＰＭＤ／ＰＤＬ補償モジュールと、位相を追跡し補正するように構成される位相回復モジュールと、を含み得る。
【０００８】
いくつかの実施形態では、直交誤差フィルタは、水平方向同相ストリーム、垂直方向同相ストリーム、水平方向直交ストリーム、および垂直方向同相ストリームを含む４つの平行ストリームを受信することにより光信号のデジタル版を受信するように構成される。直交誤差フィルタは、同相と直交成分間のスキューを検出し除去し、直流バイアスを検出し除去し、同相と直交振幅不平衡を検出し除去し、および／または同相および直交位相不平衡を検出し除去することにより直交誤差を除去するように構成され得る。いくつかの実施形態では、直交誤差フィルタは、周波数オフセット除去モジュールにより受信される前に光信号の直交誤差を除去するように構成される。いくつかの実施形態では、復調信号は硬判定または軟判定（ｈａｒｄ  ｄｅｃｉｓｉｏｎ  ｏｒ  ｓｏｆｔ  ｄｅｃｉｓｉｏｎ）データを含み得る。
【０００９】
本装置はまた、他の実施形態では、周波数オフセット除去モジュールへフィードバックするための周波数誤差メトリックを計算するように構成される搬送波周波数取得および追跡モジュールを含む。いくつかこのような実施形態では、搬送波周波数取得および追跡モジュールは、ＰＭＤ／ＰＤＬ補償モジュールがＰＭＤとＰＤＬに起因する干渉を補償した後に光信号を処理し得、周波数オフセット除去モジュールは周波数誤差メトリックを使用して回転を行う。
【００１０】
別の実施形態では、本装置は、局部発振器を制御するためのフィルタ処理済み周波数誤差メトリックを計算するように構成される搬送波周波数取得および追跡モジュールと、ほぼ２＋ε倍のシンボル率で採取されるサンプルに対し間引きを行う補間機能を実施するように構成される整合フィルタデシメータ（ｍａｔｃｈｅｄ  ｆｉｌｔｅｒ  ｄｅｃｉｍａｔｏｒ）と、ＰＭＤ／ＰＤＬ補償モジュールがＰＭＤとＰＤＬに起因する干渉を補償した後であって光信号に対する搬送波位相回復の前に光信号のシンボルタイミング取得と追跡を行うように構成されるシンボルタイミング取得および追跡モジュールと、受信したチャネルを互いに歪め、交換し、回転させるように構成されるフレーム同期モジュールと、および／または復調された光信号を差分復号し、復号化された出力をフレーム同期モジュールへ供給するように構成される差分復号器と、を含み得る。本装置はまた、様々な実施形態では、プロセッサを含み得る。
【００１１】
システムは、光信号のデジタル版を受信し、直交誤差を除去して、補正された一連のデータサンプルを生成する手段と、補正された一連のデータサンプルに対し周波数回転を行う手段と、光信号の処理版の水平および垂直偏波チャネルから波長分散（ｃｈｒｏｍａｔｉｃ  ｄｉｓｐｅｒｓｉｏｎ）を除去する手段と、ＰＭＤとＰＤＬに起因する干渉を補償する手段と、位相を追跡し補正する手段と、を含み得る。
【００１２】
方法は、光信号のデジタル版を受信する工程と、直交誤差を除去して、補正された一連のデータサンプルを生成する工程と、補正された一連のデータサンプルに対し周波数回転を行う工程と、水平および垂直偏波チャネルから波長分散を除去する工程と、ＰＭＤとＰＤＬに起因する干渉を補償する工程と、位相を追跡し補正する工程と、を含み得る。
【００１３】
いくつか実施形態によると、光信号のデジタル版を受信する工程は水平方向同相ストリーム、垂直方向同相ストリーム、水平方向直交ストリーム、垂直方向同相ストリームを含む４つの平行ストリームを受信する工程を含む。他の実施形態では、直交誤差を除去する工程は、同相と直交成分間のスキューを検出し除去する工程と、直流バイアスを検出し除去する工程と、同相および直交振幅と位相不平衡を検出し除去する工程と、を含む。光信号の直交誤差を除去する工程は光信号に対し周波数回転を行う工程の前に発生し得る。
【００１４】
いくつかの実施形態では、本方法はまた、光信号のＰＭＤとＰＤＬ補償版の周波数誤差メトリックを計算し、周波数回転実行中に使用される周波数誤差メトリックをフィードバックする工程と、光信号のＰＭＤとＰＤＬ補償版のフィルタ処理済み周波数誤差メトリックを計算し、フィルタ処理済み周波数誤差メトリックを局部発振器へ供給する工程と、ほぼ２＋ε倍のシンボル率で採取されたサンプルに対し間引きを行う補間機能を実施する工程と、ＰＭＤ／ＰＤＬ補償モジュールがＰＭＤとＰＤＬに起因する干渉を補償した後であって搬送波位相回復の前に光信号のシンボルタイミング取得と追跡を行う工程と、および／または復調された光信号を差分復号し、ハード復号された出力を供給し、ハード復号された出力の受信チャネルを互いに同期させる工程と、を含む。
【図面の簡単な説明】
【００１５】
本発明の様々な実施形態の性質と利点のさらなる理解は、以下の添付図面を参照することによりなされ得る。添付図面では、同様な部品または特徴は同じ参照ラベルを有し得る。さらに、同じタイプの様々な部品は、ダッシュ線と同様な部品を区別する第２のラベルとによる参照ラベルに従うことにより識別され得る。第１の参照ラベルだけが本明細書において使用される場合、その記述は、第２の参照ラベルにかかわりなく同じ第１の参照ラベルを有する同様の部品の任意の１つに適用可能である。
【００１６】
【図１】図１は本発明の様々な実施形態に従って構成された部品を含む光通信装置のブロック図である。
【図２】図２は本発明の様々な実施形態によるデジタル符号化および変調装置のブロック図である。
【図３】図３は本発明の様々な実施形態によるデジタル復調および復号化装置のブロック図である。
【図４】図４は本発明の様々な実施形態による復調装置のブロック図である。
【図５】図５は本発明の様々な実施形態によるデジタル復調装置のブロック図である。
【図６】図６は本発明の様々な実施形態による直交誤差フィルタのブロック図である。
【図７】図７は本発明の様々な実施形態によるＰＭＤ／ＰＤＬ補償装置のブロック図である。
【図８】図８は本発明の様々な実施形態による周波数取得および追跡モジュールのブロック図である。
【図９】図９は本発明の様々な実施形態による光信号のデジタル復調の方法のフローチャートである。
【図１０】図１０は本発明の様々な実施形態による光信号のデジタル復調の代替方法のフローチャートである。
【発明を実施するための形態】
【００１７】
受信された光信号を処理するデジタル復調器装置のための方法、システム、および装置について説明する。４つの平行ストリーム、すなわち水平方向同相ストリーム、垂直方向同相ストリーム、水平方向直交ストリーム、および垂直方向同相ストリームで構成された光信号のデジタル版が受信され得る。本装置は、光信号のデジタル版を受信し、直交誤差を除去し、補正された一連のデータサンプルを生成する直交誤差フィルタを含み得る。本装置はまた、補正された一連のデータサンプルに対し周波数回転を行う周波数オフセット除去モジュールを含み得る。本設計はまた、波長分散、偏波モード分散（ＰＭＤ）、及び偏波依存損失（ＰＤＬ）を補償し得る。位相回復モジュールは位相を追跡し補正するように構成され得る。以下にさらに詳細に説明されるように、追加の機能性が実装され得る。
【００１８】
本明細書は一例を提供するものであって、本発明の実施形態の範囲、適用性、または構成を制限するように意図されていない。むしろ、以下の記載は、本発明の実施形態の実施を可能にする説明を当業者に提供する。様々な変更が、要素の機能と配置においてなされ得る。
【００１９】
したがって、様々な実施形態は、必要に応じて様々な手順または部品を省略、置換、追加し得る。例えば、本方法は記載されたものと異なる順序で行われ得るということと様々な工程が追加、省略、または組み合わせられ得るということとを理解すべきである。また、いくつかの実施形態に関して記載された態様と要素は、様々な他の実施形態において組み合わせられ得る。以下のシステム、方法、装置、ソフトウェアは、個々にまたは集合的に、他の手順がそれらの適用に優先するまたはそうでなければそれらの適用を変更し得るより大きなシステムの部品であり得るということも理解すべきである。
【００２０】
データ送信媒体として光ファイバケーブルを利用する光通信装置のためのシステム、装置、方法、ソフトウェアについて説明する。光データ伝送システム１００の一例が図１に示される。この実施形態では、光データ伝送システム１００は、データをデジタル符号化および変調装置１０５へ供給するデータ源を含む。データ源は、少しの例だけを挙げると、ユーザ通信装置、ケーブルオペレータヘッドエンド装置、通信接続業者中央局、コンピュータサーバ、またはネットワーク付属記憶システムなどの多くの共通データ源のうちの任意のものを含み得る。多くの実施形態では、データ源は、光データ伝送システム１００全体にわたって伝送される大量のデータを生成する。デジタル符号化および変調装置１０５はこのデータを受信し、データに対しフレーム化、順方向誤り訂正符号化、および変調機能を実行する。電気−光学（Ｅ−Ｏ）装置１１０はデータを光信号に変換し、データを含む光信号をファイバ接続１１５を介し送信する。ファイバ接続１１５は、光ファイバケーブルを含むこのような接続部の周知の部品を含み得る。光学−電気（Ｏ−Ｅ）装置１２０はファイバ接続１１５から光信号を受信し、データを電気領域に変換する。デジタル復調および復号化装置１２０は、光信号のデジタル版を受信し、光信号からのデータに対し復調、順方向誤り訂正復号化、およびデフレーム化機能を行う。次に、デジタル復調および復号化装置１２０はデータを出力し得る（例えば、ユーザ通信装置、ケーブルオペレータヘッドエンド装置、通信接続業者中央局、コンピュータサーバ、またはネットワーク付属記憶システムへ）。
【００２１】
図２はデジタル符号化および変調装置１０５−ａを示す。図示された実施形態では、デジタル符号化および変調装置１０５−ａはデータ伝送層フレーム化モジュール（ｄａｔａ  ｔｒａｎｓｐｏｒｔ  ｌａｙｅｒ  ｆｒａｍｅｒ  ｍｏｄｕｌｅ）２０５、ＦＥＣ符号器モジュール２１０、変調器モジュール２１５、および送信機光インターフェースモジュール２２０を含む。データ伝送層フレーム化モジュール２０５は、データ源から受信されたデータを送信のためにパケットフレーム内に置き得る。パケットフレームは、ヘッダとペイロードおよび可能性としてＣＲＣなどの終端部を通常は含む光通信システムに使用されるパケットフレームの多くの共通プロトコルのうちの１つに準拠し得る。よく理解されているように、ヘッダは、光伝送に使用されている特定のプロトコルに依存して、送信中にペイロードとインタリーブされ得る。ＦＥＣ符号器モジュール２１０は、データ伝送層フレーム化モジュール２０５から受信されるデータの順方向誤り訂正（ＦＥＣ：ｆｏｒｗａｒｄ  ｅｒｒｏｒ  ｃｏｒｒｅｃｔｉｏｎ）情報を計算し、それをフレームへ追加する。様々な実施形態のＦＥＣ情報の特定タイプは、フレームと共に送信される系統的に生成された冗長誤り訂正符号（ＥＣＣ）データを通常は含む。いくつかの実施形態に使用される差分符号化が存在し得る。変調器モジュール２１５はフレームおよびＦＥＣ情報を変調し、データを送信機光インターフェースモジュール２２０へ転送する。送信機光インターフェースモジュール２２０は変調データをＥ−０モジュールへ転送し得る。このＥ−０モジュールにおいて、変調データは双極性（双極）直交位相シフトキーイング（ｄｕａｌ−ｐｏｌａｒｉｔｙ（ｄｕａｌ−ｐｏｌｅ）ｑｕａｄｒａｔｕｒｅ  ｐｈａｓｅ−ｓｈｉｆｔ−ｋｅｙｉｎｇ（ＱＰＳＫ））変調を介し光学領域で送信され、４つの平行光学ストリームを生じ得る。他の変調方式が他の例において同様に使用され得る。
【００２２】
図３に示すように、デジタル復調および復号化装置１２５−ａは多くのモジュールも含み得る。この実施形態では、デジタル復調および復号化装置１２５−ａは、受信機光インターフェースモジュール３０５、復調器モジュール３１０、ＦＥＣ復号器モジュール３１５、およびデータ伝送層非フレーム化モジュール（ｄａｔａ  ｔｒａｎｓｐｏｒｔ  ｌａｙｅｒ  ｄｅ−ｆｒａｍｅｒ  ｍｏｄｕｌｅ）３２０を含む。受信機光インターフェース３０５はＯ−Ｅ装置１２０からのインターフェースである。受信機光インターフェースモジュール３０５は電気信号を復調器モジュール３１０へ供給する。復調器モジュール３１０の様々な実施形態について以下にさらに詳細に検討する。復調器モジュール３１０からの情報はＦＥＣ復号器モジュール３１５へ供給され、ＦＥＣ復号器モジュール３１５は同情報を復号し、誤り訂正符号から特定される送受信エラーを補正し得る。ＦＥＣ復号器モジュール３１５は復号データをデータ伝送層非フレーム化モジュール３２０へ供給し、データ伝送層非フレーム化モジュール３２０は光伝送に使用される特定のプロトコルに従って信号からデータをデフレームし、出力データを供給する。データ出力先は例えばユーザまたは任意の受信システムであり得る。
【００２３】
これらの部品は、適用可能な機能のいくつかまたはすべてをハードウェアで行うように適合化された１つまたは複数の特定用途向け集積回路（ＡＳＩＣ）により個々にまたは集合的に実装され得る。代案として、機能は１つまたは複数の集積回路上の１つまたは複数の他の処理装置（またはコア）により行われ得る。他の実施形態では、当該技術領域で知られた任意のやり方でプログラムされ得る他のタイプの集積回路（例えば構造化／プラットホームＡＳＩＣ、フィールドプログラマブルゲートアレイ（ＦＰＧＡ）、および他のセミカスタムＩＣ）が使用され得る。各装置の機能はまた、１つまたは複数の汎用または特定用途プロセッサにより実行されるようにフォーマット化されるメモリ内に具現された命令により、その全体または一部が実施され得る。
【００２４】
ここで図４を参照すると、デジタル復調器４００の一例が示される。これは、図３に示す復調器モジュール３１０の例であり得る。デジタル復調器４００は、直交誤差フィルタモジュール４０５、周波数オフセット除去モジュール４１０、波長分散補償モジュール４１５、ＰＭＤ／ＰＤＬ補償モジュール４２０、および位相追跡および回復モジュール４２５を含む。
【００２５】
光信号のデジタル版が受信され得る。光信号のデジタル版は４つの平行ストリームすなわち、水平方向同相ストリーム、垂直方向同相ストリーム、水平方向直交ストリーム、および垂直方向直交ストリーム（例えば受信機光インターフェースモジュールからの）で構成され得る。直交誤差フィルタモジュール４０５は、光信号のデジタル版を受信し、直交誤差を除去して、補正された一連のデータサンプルを生成する。補正された一連のデータサンプルに対して周波数回転を行うための周波数オフセット除去モジュール４１０が存在し得る。波長分散補償モジュール４１５は水平および垂直偏波チャネルから波長分散を除去する。ＰＭＤ／ＰＤＬ補償モジュール４２０は、ＰＭＤとＰＤＬに起因する干渉を補償し得る。本装置はまた、位相を追跡し補正するように構成される位相追跡および回復モジュール４２５を含み得る。
【００２６】
いくつかの例では、直交誤差フィルタモジュール４０５は、同相および直交スキュー、直流バイアス、同相および直交振幅不平衡、または同相および直交位相不平衡を検出および除去することにより直交誤差を除去するように構成される。直交誤差フィルタモジュール４０５は、光信号の一部が周波数オフセット除去モジュール４１０により受信される前に、光信号の一部からこのような直交誤差を除去し得る。受信チェーンにおけるＰＭＤ／ＰＤＬ補償モジュール４２０後であって位相追跡および回復モジュール４２５前に搬送波周波数取得および追跡モジュール（図示せず）がまた存在し得る。搬送波周波数取得および追跡モジュールは周波数オフセット除去モジュール４１０への送信のための周波数誤差メトリックを計算するように構成され得る。搬送波周波数取得および追跡モジュールは、装置から局部発振器への送信のためのフィルタ処理済み周波数誤差メトリックを計算し得る。
【００２７】
図５を参照して、復調器装置５００について説明する。これは、図４のデジタル復調器装置４００または図３の復調器装置３１０であり得る。この例では、１つの水平成分（Ｈ）と１つの垂直成分（Ｖ）の２つの偏波成分が受信される。ＨとＶ成分のそれぞれは同相（Ｉ）成分と直交（Ｑ）成分の両方を含む。参照のための、水平偏波内の２つの成分はＨＩ（水平方向同相分）とＨＱ（水平方向直交成分）と呼ばれる。同様に、垂直偏波内の２つの成分はＶＩ（垂直方向同相分）とＶＱ（垂直方向直交成分）と呼ばれる。復調器装置５００は、送信データを回復するために２つの偏波成分のＩとＱ成分のデジタル化サンプルを処理する。入力において、復調器装置５００は、ＨＩ、ＨＱ、ＶＩ、ＶＱサンプルを搬送する４つの平行ストリームを受け取る。一実施形態では、各ストリームはクロック当たり複数のサンプルを含む。その出力において、復調器は、復調された硬判定データ（他の例では、軟判定データが供給され得るが）をＦＥＣ復号器モジュール（例えば、図３のＦＥＣ復号器モジュール３１５）へ供給し得る。復調器装置５００はＦＥＣフレームの開始を特定し得る。加えて、いくつかの実施形態では、復調器装置５００は、誤り訂正のために、収束状態に関してＦＥＣ復号器モジュール３１５からフィードバック信号を受信する。
【００２８】
いくつかの実施形態では、復調器装置５００は多くの機能モジュールを含む特定用途向け集積回路（ＡＳＩＣ）として実装される。このような実施形態では、復調器装置５００は、復調器パラメータ（フィルタ係数、ループ利得等）の構成と復調器状態の抽出を可能にするホスト処理装置５１０に接続される制御および監視インターフェースバス５０５を有し得る。引き続き図５を参照して、様々な実施形態の復調器装置５００内のサブモジュールのいくつかについて説明する。この実施形態では、直交誤差フィルタ（ＱＥＦ：ｑｕａｄｒａｔｕｒｅ  ｅｒｒｏｒ  ｆｉｌｔｅｒ）モジュール４０５−ａはデータフォーマット化、誤り検知、および訂正機能の集合を提供する。一実施形態では、入力データサンプルは２進オフセット／オフセット２進形式であると予想され、デジタルシグナルプロセッサ内の処理のために２の補数（２Ｃ）形式に変換される。入力するＨＩ、ＨＱ、ＶＩ、およびＶＱストリームはまた、いくつかの実施形態では、偶発的反転またはＩＱ交換になり得るいかなる設計課題も考慮に入れ、必要に応じ独立に交換および反転され得る。これらの様々な実施形態の各データストリームは、偏波内Ｉ−Ｑスキューだけでなく（ＨとＶ偏波間）偏波スキューも除去するように処理され得る。ＱＥＦモジュール４０５−ａは、４つのタイプの直交位相信号誤差、すなわちＩ／Ｑスキュー、ＤＣバイアス、Ｉ／Ｑ振幅不平衡、およびＩ／Ｑ位相不平衡の検出および除去を実現し得る。すべての４つの誤差検出器は、いくつかの実施形態では、プロセッサインターフェースを介し独立に使用可能または使用不能にされ得、検出された誤差値は、この同じインターフェースを介し状態値として出力され得る。ＱＥＦモジュール４０５−ａはまた、システムの他の部品により使用され得る利得制御信号を出力し得る。
【００２９】
ＱＥＦモジュール４０５−ａは周波数オフセット除去モジュール４１０−ａに接続される。周波数オフセット除去モジュール４１０−ａは、一例では、ＱＥＦモジュール４０５−ａから出て来るデータサンプルに対して周波数回転を行う。周波数回転の量は、搬送波周波数取得および追跡（ＣＦＡＴ：ｃａｒｒｉｅｒ  ｆｒｅｑｕｅｎｃｙ  ａｃｑｕｉｓｉｔｉｏｎ  ａｎｄ  ｔｒａｃｋｉｎｇ）モジュール５２０から供給される周波数誤差入力により制御される。このような周波数オフセット除去機能は、光学領域におけるＬＯレーザ調節から残された残留周波数を除去し得る。波長分散補償モジュール４１５−ａは水平および垂直偏波チャネルからバルク波長分散を除去する。補正は周波数領域においてフィルタを介し適用され得る。補正の量は、この実施形態では、復調器モジュール５００の外で導出されホスト処理装置５１０および制御および監視インターフェースバス５０５を介し供給される波長分散フィルタ入力により制御され得る。
【００３０】
整合フィルタデシメータ（ＭＦＤ：ｍａｔｃｈｅｄ  ｆｉｌｔｅｒ  ｄｅｃｉｍａｔｏｒ）モジュール５１５は、２＋ε（２プラス任意の小さな正値）倍のシンボル率で採取されるサンプルに対し間引きを行う補間機能を実施し得る。一実施形態では、４つのデータストリームのそれぞれは、選択された係数を有するＦＩＲフィルタの独立バンクを有する。入力データは、データストリーム毎に２サンプル／シンボルを生成するようにフィルタバンクを介し処理される。データサンプルは集められ、サンプルブロックアセンブラによりクロック当たり固定数サンプル／ストリームのブロックにアセンブルされる。アセンブル機能は各偏波内のＩとＱストリームにとって同一であり得るので１つのアセンブリブロックが２つのストリームをサービスし得る。ＰＭＤ／ＰＤＬ補償モジュール４２０−ａは、光学チャネル内のＰＭＤとＰＤＬにより導入される交差偏波干渉、ＩＱチャネル干渉、隣接シンボル干渉、および上に述べたような残留波長分散などの他の残留障害を補償するために適応等化を利用し得る。一実施形態では、適応等化器は、ＭＦＤモジュール５１５から１または２サンプル／シンボルでデータを採取し、適応フィルタタップ係数を有するＦＩＲフィルタのバンクを介しデータを処理する。
【００３１】
いくつかの実施形態では、シンボルタイミング取得および追跡（ＳＴＡＴ：ｓｙｍｂｏｌ  ｔｉｍｉｎｇ  ａｃｑｕｉｓｉｔｉｏｎ  ａｎｄ  ｔｒａｃｋｉｎｇ）モジュール５２５は早期／後期シンボル半径整合方式とＰＩ制御装置を使用してシンボルタイミングを推定し、誤り信号を生成しシンボルタイミングを補正し得る。このＳＴＡＴモジュール５２５はまた、一実施形態では、シンボルロック指標を出力するシンボルタイミングロック検出機構を有する。様々な実施形態では、ＰＩ制御装置のための２組の利得が存在する（取得のための広帯域と追跡のための狭帯域）。タイミングロック状態でないと、広帯域利得が使用され得、そうでなければ狭帯域利得が使用され得る。ＳＴＡＴモジュール５２５は、ＰＭＤ／ＰＤＬ補償モジュールがＰＭＤとＰＤＬに起因する干渉を補償した後であって光信号の一部に対する搬送波位相回復の前に、光信号の一部のシンボルタイミング取得と追跡を行い得る。
【００３２】
ＣＦＡＴモジュール５２０は搬送波周波数を追跡するだけでなく取得する責任があり得る。搬送波周波数取得は、適切な平均化とピーク周波数成分検出と共に高速フーリエ変換（ＦＦＴ）を介すなど、多くの技術のうちの１つを使用して実現される。ＣＦＡＴモジュール５２０は周波数誤差入力を周波数オフセット除去モジュール４１０−ａへ供給し得る。ＣＦＡＴモジュール５２０はまた、いくつかの実施形態では、局部発振器（ＬＯ：ｌｏｃａｌ  ｏｓｃｉｌｌａｔｏｒ）周波数オフセット出力（フレーム同期およびインターフェースモジュール５４０からのデータと共に使用され得る）のための制御出力を供給する。搬送波位相追跡および回復モジュール５３０は、ブロック位相推定器と共にフィードフォワードアルゴリズムと、残留周波数と位相エラーを除去する位相回転機能と、を使用し得る。搬送波位相追跡および回復モジュール５３０は、ＰＭＤ補償モジュールにより生成される定時データサンプルに作用し得る。差分復号器５３５は、様々な実施形態では、搬送波位相追跡および回復モジュール５３０からのシンボルストリームを受け取る（例えばシンボル当たり１サンプルで）責任があり得る。差分復号器５３５は、信号を差分復号し、復号された出力（例えば硬判定出力データストリーム）をフレーム同期およびインターフェースモジュール５４０へ供給するように構成され得る。フレーム同期およびインターフェースモジュール５４０は、フレーム同期を実現するためにデータを処理し、データの整列、フレーム同期検出、およびクロック転送のための機能ブロックを含み得る。フレーム同期モジュールは受信されたチャネルを互いに歪め、交換し、回転させるように構成され得る。
【００３３】
図６に、直交誤差フィルタ（ＱＥＦ）モジュール４０５−ｂの一例を示す。これは図４または５のＱＥＦモジュール４０５であり得る。ＱＥＦモジュール４０５−ｂは、ＤＣバイアス除去サブモジュール６０５、スキュー除去サブモジュール６１０、Ｉ／Ｑ振幅不平衡サブモジュール６１５、Ｉ／Ｑ位相不平衡サブモジュール６２０、誤り信号測定モジュール６２５を含み得る。
【００３４】
ＱＥＦモジュール４０５−ｂは４つの平行ストリーム、すなわち水平方向同相ストリーム（ＨＩ）、垂直方向同相ストリーム（ＶＩ）、水平方向直交ストリーム（ＨＱ）、垂直方向直交ストリーム（ＶＱ）を受信し得る。サンプルはＡＤＣから２進オフセット／オフセット２進フォーマットで入り得、ＤＳＰ内の処理のために２の補数（２Ｃ）に変換され得る。
【００３５】
ＤＣバイアス除去サブモジュール６０５は、ストリーム毎にＤＣバイアスを検出し除去し得る。ＤＣバイアスは非常に狭い帯域の一次ＩＩＲ低域通過フィルタを介し検出され得る。ＩＩＲループ利得は２１１〜２２６までプログラム可能であるとよい。フィルタ出力値はいかなるＤＣバイアスも除去するように生データサンプルから減じられ得る。ストリーム毎のＤＣバイアス値は状態表示出力として供給され得る。
【００３６】
スキュー除去サブモジュール６１０は、偏波内Ｉ−Ｑスキューだけでなく（ＨとＶ偏波間）偏波スキューも除去するように各ストリームを処理し得る。偏波スキュー除去に関しては、プログラム可能数の整数サンプル持続時間だけ互いに偏波を遅延することができる遅延素子が使用され得る。これは較正時に粗い偏波スキュー除去を可能にし得る。較正時のいかなる残留サブサンプリング持続時間偏波スキューまたは偏波スキューのいかなる遅い時間変動も、ＰＭＤ等化器（例えば図４または５のＰＭＤ／ＰＤＬ補償モジュール４２０）により後で追跡され得る。整数サンプル遅延は、粗いＩ／Ｑスキュー除去を助けるために偏波内ＩとＱストリーム上で独立に利用可能となり得る。
【００３７】
校正時の粗いＩ／Ｑスキュー調整に関しては、偏波スキュー除去中の上述のシフト制御が使用され得る。Ｉ−Ｑストリーム間のサブサンプリング時間遅延を微調整するために補間遅延フィルタが使用され得る。コールドスタート時だけでなく較正時も、ＱＥＦブロック内に生成される最も低い誤り信号を与えるスキュー調節設定を特定するために試行錯誤手法が使用され得る。長期にわたってこのスキューの遅い変動を追跡するために、現在のスキュー設定（現在の設定より低いおよび高いスキュー設定だけでなく）に対応する誤り信号が監視され得、ＤＳＰは、他の設定の誤り信号が現在の設定より小さくなれば現在のスキュー設定を切り替え得る。
【００３８】
Ｉ／Ｑ振幅不平衡サブモジュール６１５は、各偏波（ＨとＶ）のＩとＱサンプルチャネル間の平均電力差を測定し得る。ＩとＱ間の電力差には非常に小さな利得項（例えば、２−１１〜２−２６までプログラム可能）が乗じられ得、その増倍された誤差はアキュムレータへ入力され得る。アキュムレータの出力は利得としてＱチャネル内のすべてのサンプルへ適用され、これにより利得を除去し得る。この不平衡除去により、当該チャネルを基準チャネルと同じ平均電力（または振幅）レベルに持って来る。
【００３９】
Ｉ／Ｑ位相不平衡サブモジュール６２０は、各偏波（ＨとＶ）のＩとＱサンプルチャネル間の平均相互相関を測定し得る。偏波毎の相互相関値に非常に小さな利得項（２−１１〜２−２６までプログラム可能）を乗じ、アキュムレータへ入力してもよい。アキュムレータの出力は、当該偏波におけるＱチャネル内へのＩチャネル「ブリーディング（ｂｌｅｅｄｉｎｇ）」の量を表す。この値は、位相不平衡を除去するために所与の偏波におけるすべてのＩサンプルに対する利得として適用され得る。乗算の結果は相互相関を除去するように当該のＱサンプルから減じられ得る。Ｉ／Ｑ位相不平衡サブモジュール６２０の出力は、図４または図５の周波数オフセット除去モジュール４１０へ転送され得る。
【００４０】
Ｉ／Ｑ位相不平衡サブモジュール６２０の出力は、誤差測定のために誤り信号測定モジュール６２５内に供給され得る。誤差は、それらの処理に使用されるスキュー除去サブモジュール６１０、Ｉ／Ｑ振幅不平衡サブモジュール６１５、Ｉ／Ｑ位相不平衡サブモジュール６２０内にフィードバックされ得る。
【００４１】
次に図７を参照すると、ブロック図はＰＭＤ／ＰＤＬ補償モジュール４２０−ｂの例示的構成を示す。これは、図４または図５のＰＭＤ／ＰＤＬ補償モジュール４２０であり得る。それは、ＦＩＲフィルタバンクサブモジュール７０５、適応ＥＱタップ更新サブモジュール７１０、重心補正サブモジュール７１５を含み得る。ＰＭＤ／ＰＤＬ補償モジュール４２０−ｂは、光学チャネル内のＰＭＤとＰＤＬにより導入される交差偏波干渉、ＩＱチャネル干渉、隣接シンボル干渉を検出し除去するように構成され得る。
【００４２】
図示の例では、ＰＭＤ／ＰＤＬ補償モジュール４２０−ｂは、２サンプル／シンボル（例えば図５の整合フィルタデシメータ（ＭＦＤ）モジュール５１５からの）でデータを取り込み、適応フィルタタップ係数を有するＦＩＲフィルタバンクサブモジュール７０５を介しデータを処理する適応等化器である。ＰＭＤ／ＰＤＬ補償モジュール４２０−ｂは、４つの平行ストリーム、すなわち水平方向同相ストリーム（ＨＩ）、垂直方向同相ストリーム（ＶＩ）、水平方向直交ストリーム（ＨＱ）、垂直方向直交ストリーム（ＶＱ）を受信し得る。一例では、ＦＩＲフィルタバンクサブモジュール７０５は、２タップ／シンボルで動作する４つの１６タップ複素フィルタで構成されるＦＩＲフィルタバンクである。これらのフィルタタップは、１．０のセンタータップ重みを有し他のすべてのタップが０．０に設定された全通過フィルタとして初期化され得る。タップは、使用可能になると、適応ＥＱタップ更新アルゴリズムにより更新される。
【００４３】
一例では、適応等化器タップ更新アルゴリズムは定モジュラスアルゴリズム（ＣＭＡ：Ｃｏｎｓｔａｎｔ  Ｍｏｄｕｌｕｓ  Ａｌｇｏｒｉｔｈ）である。このアルゴリズムは、各偏波上のコンステレーション点（ｃｏｎｓｔｅｌｌａｔｉｏｎ  ｐｏｉｎｔ）を、最小半径変動を有する所望の半径を有する円に駆動する（最適シンボルタイミングで）。適応等化器は、２つの偏波を適切に減結合する解に高い確率で収束することになる。しかし、ＥＱが両方の偏波出力上に同じ偏波を出力するように収束するコーナケースが存在する。このエラー事象は下流で検出される。このエラーが検出されると、垂直方向偏波出力のためのフィルタタップがリセットされ得る。
【００４４】
ＦＩＲフィルタバンクサブモジュール７０５は部分出力を供給し得、適応ＥＱタップ更新サブモジュール７１０は同部分出力を受信し、必要に応じ、さらなる補正を加え、最終ＰＭＤ／ＰＤＬ補償出力を出力し得る。重心補正サブモジュール７１５は、必要に応じフィルタタップ内の当該シフトを補償するために、シンボルを出力へ／からを追加または除去するように構成される。フィルタ処理済み出力は、ＰＭＤ／ＰＤＬ補償モジュール４２０−ｂから図５のＣＦＡＴモジュール５２０、ＳＴＡＴモジュール５２５、および／または搬送波位相追跡および回復モジュール５３０へ送信され得る。
【００４５】
次に図８を参照すると、ブロック図は搬送波位相取得および追跡（ＣＦＡＴ）モジュール５２０−ａの例示的構成を示す。これは図５のＣＦＡＴモジュール５２０であり得る。ＣＦＡＴモジュール５２０−ａは、モード選択サブモジュール８０５、ＦＦＴサブモジュール８１０、平均化サブモジュール８１５、ピーク周波数検出サブモジュール８２０、ＰＩ制御装置サブモジュール８２５、ＤＦＴサブモジュール８３０、平均化サブモジュール８４０、および周波数誤差計算サブモジュール８４５を含み得る。
【００４６】
ＣＦＡＴモジュールは搬送波周波数を追跡するだけでなく取得する責任がある。搬送波周波数取得は、適切な平均化およびピーク周波数成分検出による２５６点ＦＦＴにより達成され得る。搬送波周波数追跡は、適切な平均化および可変追跡帯域による２点ＤＦＴにより達成され得る。周波数誤差はフィルタ処理済み周波数誤差を生成するためにＰＩ制御装置を介し処理され得る。ＣＦＡＴモジュールはまた、搬送波周波数ロック検出機構を利用し得る。周波数ロックしていない状態では、より広いＤＦＴ帯域が利用され得、そうでなければより狭いＤＦＴ帯域が利用され得る。周波数ロック信号はまた、図５のフレーム同期およびインターフェースモジュール５４０が復号器へデータを転送すべきかどうかを判断するために利用され得る。
【００４７】
図８に示すＣＦＡＴモジュール５２０−ａは、両方の偏波からの定時Ｉ／Ｑデータサンプルに作用するように構成され得る。ＣＦＡＴモジュール５２０−ａは、すべてのデータサンプルに作用するのではなく、むしろブロック間の処理時間を可能にするために６４クロック毎に一回２５６個の隣接シンボルのブロックに作用する。入力データは、ＱＰＳＫ変調を音声まで折り畳む４θ変換ブロックを介し処理され得る。４θ変換ブロックのデータ出力は、モード選択サブモジュール８０５により判断されるように動作のモードに依存して２つの経路のうちの１つを介し処理される。始動時、ＣＦＡＴモジュール５２０−ａは、バルク周波数オフセット測定が周波数追跡ループの追跡帯域に入るまで、取得モードにあることになる。その処理が完了すると、モジュールは追跡モードで動作する。
【００４８】
取得モードでは、偏波毎の４θＩ／ＱデータはＦＦＴサブモジュール８１０において実施される２５６点複素ＦＦＴを介し処理され得る。ＦＦＴ結果は、８組のＦＦＴにわたって複素ＦＦＴビン結果をブロック平均化するブロック平均化機能の平均化サブモジュール８１５へ出力され得る。平均ＦＦＴ結果は、複素ＦＦＴ結果を振幅応答に変換して応答内の有効なピーク周波数成分を探索するピーク周波数検出サブモジュール８２０へ出力され得る。有効なピークが検出されると、周波数誤差がピーク周波数検出サブモジュール８２０により計算される。周波数誤差は、ＰＩ制御装置サブモジュール８２５を更新するために使用され得る。取得モードでは、ＰＩ制御装置サブモジュール８２５の出力はバルク周波数オフセットであり、ＬＯレーザを調節するために出力される。制御状態マシーン（ｃｏｎｔｒｏｌ  ｓｔａｔｅ  ｍａｃｈｉｎｅ）は、ＰＩ制御装置サブモジュール８２５へ入力される周波数誤差を監視し得る。周波数誤差が非零（または近零閾値より上）である限り、モジュールのＤＦＴ部（図８の下半分）はアイドル状態で保持され得る。
【００４９】
ＦＦＴにより検出された周波数誤差が零（ＦＦＴのピークは零成分にある）であると、モード選択サブモジュール８０５は、追跡モードを入力するようにＣＦＡＴモジュール５２０−ａを制御し得る。ＤＦＴデータ処理および関連ＰＩ制御装置が使用可能にされ、ＦＦＴ論理は使用不能にされる。追跡モードでは、偏波毎の４θＩ／Ｑデータは、２点複素ＤＦＴを使用することによりＤＦＴサブモジュール８３０を介し処理される。ＤＦＴサブモジュール８３０は±Δｆ周波数位置における周波数ビンを計算し得る。Δｆの値は周波数ロック信号の状態に依存する。ＤＦＴ結果は、偏波当たり複数のシンボル分のデータにわたって２つの複素ＤＦＴビン結果をブロック平均化する平均化サブモジュール８４０へ出力される。
【００５０】
平均ＤＦＴ結果は、平均複素ＤＦＴ結果を偏波当たり一対の大きさに変換する一対の周波数誤差計算ブロックへ入力される。誤差値は、偏波当たり正負の強度値の差として計算される。周波数誤差計算サブモジュール８４５は、２つの偏波から周波数誤差値を受信し、それに重み付け係数（β）を掛け、それらを合計して合成二重偏波信号の平均周波数誤差を生成する。βの公称値は０．５０であるが、範囲｛０．０，１．０｝内でプログラムされることができる。合成周波数誤差値は、データブロック当たり一回ＰＩ制御装置サブモジュール８２５により使用され得る。ＰＩ制御装置サブモジュール８２５の追跡モード出力は、入力データをベースバンドへシフトするために図４または図５の周波数オフセット除去モジュール４１０へフィードバックされる周波数誤差であり得る。ＰＩ制御装置サブモジュール８２５の追跡モード出力はまた、追跡モードにおいてＬＯレーザに連続周波数誤差更新を与えるために使用され得る。
【００５１】
図９は、本発明の様々な実施形態による光信号のデジタル復調の方法９００のフローチャートである。方法９００は、図１または図３のデジタル復調および復号化装置１２５により行われ得る。より具体的には、方法９００は、図３、図４、または図５の復調器装置３１０、４００、５００によりそれぞれ行われ得る。
【００５２】
ブロック９０５では、光信号のデジタル版が受信される。ブロック９１０では、直交誤差が、フィルタ処理済みの一連のデータサンプルを生成するために除去される。ブロック９１５では、周波数回転が、フィルタ処理済みの一連のデータサンプルに対し実行される。ブロック９２０では、波長分散が水平および垂直偏波チャネルから除去される。ＰＭＤとＰＤＬに起因する干渉の補正がブロック９２５で発生する。ブロック９３０では、位相は追跡され補正される。
【００５３】
図１０は、本発明の様々な実施形態による光信号のデジタル復調の代替方法のフローチャートである。方法１０００は、図１または図３のデジタル復調および復号化装置１２５により行われ得る。より具体的には、方法１０００は、図３、図４、または図５の復調器装置３１０、４００、５００によりそれぞれ行われ得る。方法１０００は図９の方法９００の一例であり得る。
【００５４】
ブロック１００５では、４つの平行ストリーム、すなわち水平方向同相（ＨＩ）ストリーム、垂直方向同相ストリーム（ＶＩ）、水平方向直交（ＨＱ）ストリーム、垂直方向直交（ＶＱ）ストリームを含む光信号のデジタル版が受信される。ブロック１０１０では、Ｉ／Ｑスキュー、ＤＣバイアス、Ｉ／Ｑ振幅、位相不平衡が、フィルタ処理済みの一連のデータサンプルを生成するために除去される。ブロック１０１５では、周波数回転が、フィルタ処理済みの一連のデータサンプルに対し実行される。ブロック１０２０では、波長分散が水平および垂直偏波チャネルから除去される。ＰＭＤとＰＤＬに起因する干渉の補正がブロック１０２５で発生する。
【００５５】
ブロック１０３０では、光信号のＰＭＤとＰＤＬ補償版のための周波数誤差メトリックが計算され、上記メトリックは光信号の後の部分に対し周波数回転を行うために使用される。ブロック１０３５では、局部発振器への送信のために、光信号のＰＭＤとＰＤＬ補償版のためのフィルタ処理済み周波数誤差メトリックが計算される。ブロック１０４０では、位相が追跡され補正される。ブロック１０４５では、硬判定を生成するために差分復号化が行われる。ブロック１０５０では、フレーム同期が行われる。
【００５６】
これらの部品は、適用可能な機能のいくつかまたはすべてをハードウェアで行うように適合化された１つまたは複数の特定用途向け集積回路（ＡＳＩＣ）により個々にまたは集合的に実装される。代案として、機能は１つまたは複数の集積回路上の１つまたは複数の他の処理装置（またはコア）により行われ得る。他の実施形態では、当該技術領域で知られた任意のやり方でプログラムされ得る他のタイプの集積回路が使用され得る（例えば構造化／プラットホームＡＳＩＣ、フィールドプログラマブルゲートアレイ（ＦＰＧＡ）、および他の半カスタムＩＣ）。各装置の機能はまた、１つまたは複数の汎用または特定用途プロセッサにより実行されるようにフォーマット化されたメモリ内に具現される命令により、その全体または一部が実施され得る。
【００５７】
上に論じられた方法、システム、装置は単に一例であることを目的とするということに注意すべきである。様々な実施形態は、必要に応じて様々な手順または部品を省略、置換、追加し得るということを強調しなければならない。例えば、代替の実施態様では、本方法は記載されたものと異なる順序で行われ得、様々な工程が追加、省略、または組み合わせられ得るということを理解すべきである。また、いくつかの実施形態に関して説明された特徴は、様々な他の実施形態において組み合わせられ得る。実施形態の異なる態様と要素は同様なやり方で組み合わせられ得る。また、技術は進化し、したがって、要素の多くは本来例示的であり、本発明の範囲を制限するようには解釈されるべきでないということを強調しておかなければならない。
【００５８】
実施形態の完全な理解を与えるために、特定の詳細が明細書において説明された。しかし、実施形態がこれらの特定の詳細無しに実行され得るということは当業者により理解されることになる。例えば、周知の回路、処理、アルゴリズム、構造、および技術は、実施形態をあいまいにするのを回避するために不必要な詳細無しに示された。
【００５９】
また、実施形態は、フローチャートまたはブロック図として描写される処理として説明され得るということに注意すべきである。動作のそれぞれは逐次プロセスとして動作を説明し得るが、動作の多くは並行または同時に行われ得る。加えて、動作の順序は再配置され得る。処理は、図に含まれない追加工程を有し得る。
【００６０】
さらに、本明細書に開示されるように、用語「メモリ」は、情報を格納するための読み取り専用メモリ（ＲＯＭ）、ランダムアクセスメモリ（ＲＡＭ）、磁気ＲＡＭ、コアメモリ、磁気ディスク記憶装置媒体、光記憶媒体、フラッシュメモリ装置、または他のコンピュータ可読媒体を含むデータを格納するための１つまたは複数の装置を表し得る。用語「コンピュータ可読媒体」は、これらに限定しないが、携帯型または固定型記憶装置、光記憶装置、無線チャネル、ｓｉｍカード、他のスマートカード、および命令またはデータを格納する、含む、または搬送することができる様々な他の媒体を含む。
【００６１】
さらに、実施形態は、ハードウェア、ソフトウェア、ファームウェア、ミドルウェア、マイクロコード、ハードウェア記述言語、またはその任意の組合せにより実施され得る。ソフトウェア、ファームウェア、ミドルウェア、またはマイクロコードで実施されると、必要なタスクを行うプログラムコードまたはコードセグメントは記憶媒体などのコンピュータ可読媒体に格納され得る。プロセッサは必要なタスクを実行し得る。
【００６２】
いくつかの実施形態について説明したが、様々な変更形態、代替構造、及び均等物が本発明の精神から逸脱すること無く使用され得るということが当業者により認識されることになる。例えば、上記要素は単に、他の規則が優先されるまたはそうでなければ本発明の適用を変更し得るより大きなシステムの部品であり得る。また、多くの工程は、上記要素が考慮される前に、上記要素が考慮される間に、または上記要素が考慮された後に、実施され得る。したがって、上記説明は本発明の範囲を限定するものとらえるべきではない。
【図１】
2014509121.tif 000003
【図２】
2014509121.tif 000004
【図３】
2014509121.tif 000005
【図４】
2014509121.tif 000006
【図５】
2014509121.tif 000007
【図６】
2014509121.tif 000008
【図７】
2014509121.tif 000009
【図８】
2014509121.tif 000010
【図９】
2014509121.tif 000011
【図１０】
2014509121.tif 000012
【国際調査報告】
2014509121.tif 000013
2014509121.tif 000014